(57)【特許請求の範囲】
【請求項１】
視差画像群を表示することで表示対象物を立体視させる表示手段と、
前記表示手段によって描出された前記表示対象物の観察者を検出する検出手段と、
前記検出手段によって複数の観察者が検出された場合に、前記複数の観察者それぞれの位置と現時点の視域とのずれをそれぞれ算出し、算出したずれに基づいて、視域に含まれる観察者の人数が最多となるように前記現時点の視域を移動させた後、前記複数の観察者に対して同一視点からの立体画像を表示するための視差画像群を前記表示手段にて表示させる表示制御手段と、
を備えたことを特徴とする画像処理システム。
【請求項２】
特定の人物ごとに表示方法を対応付けた人物情報を記憶する記憶手段をさらに備え、
前記表示制御手段は、前記検出手段によって検出された観察者が前記記憶手段に記憶された人物情報に含まれる特定の人物であった場合に、前記表示手段による前記視差画像群の表示方法を、当該特定の人物に予め対応付けられた表示方法に変更することを特徴とする請求項１に記載の画像処理システム。
【請求項３】
前記記憶手段は、前記人物情報として、前記特定の人物が所望する視差画像群の表示条件をさらに記憶し、
前記表示制御手段は、前記検出手段によって検出された観察者が、前記記憶手段に記憶された人物情報に含まれる特定の人物であった場合に、当該特定の人物に予め対応付けられた表示条件に設定した視差画像群を前記表示手段にて表示させることを特徴とする請求項２に記載の画像処理システム。
【請求項４】
視差画像群を表示することで表示対象物を立体視させる表示手段と、
前記表示手段によって描出された前記表示対象物の観察者を検出する検出手段と、
前記検出手段によって複数の観察者が検出された場合に、前記複数の観察者それぞれの位置と現時点の視域とのずれをそれぞれ算出し、算出したずれに基づいて、視域に含まれる観察者の人数が最多となるように前記現時点の視域を移動させた後、前記複数の観察者に対して同一視点からの立体画像を表示するための視差画像群を前記表示手段にて表示させる表示制御手段と、
を備えたことを特徴とする画像処理装置。
【請求項５】
視差画像群を表示することで表示対象物を立体視させる表示工程と、
前記表示工程によって描出された前記表示対象物の観察者を検出する検出工程と、
前記検出工程によって複数の観察者が検出された場合に、前記複数の観察者それぞれの位置と現時点の視域とのずれをそれぞれ算出し、算出したずれに基づいて、視域に含まれる観察者の人数が最多となるように前記現時点の視域を移動させた後、前記複数の観察者に対して同一視点からの立体画像を表示するための視差画像群を前記表示手段にて表示させる表示制御工程と、
を含んだことを特徴とする画像処理方法。
【請求項６】
視差画像群を表示することで表示対象物を立体視させる表示手段と、
前記表示手段によって描出された前記表示対象物の観察者を検出する検出手段と、
前記検出手段によって複数の観察者が検出された場合に、前記複数の観察者それぞれの位置と現時点の視域とのずれをそれぞれ算出し、算出したずれに基づいて、視域に含まれる観察者の人数が最多となるように前記現時点の視域を移動させた後、前記複数の観察者に対して同一視点からの立体画像を表示するための視差画像群を前記表示手段にて表示させる表示制御手段と、
を備えたことを特徴とする医用画像診断装置。
【発明の詳細な説明】
【技術分野】
【０００１】
本発明の実施形態は、画像処理システム、装置、方法及び医用画像診断装置に関する。
【背景技術】
【０００２】
従来、立体視用メガネ等の専用機器を用いて、２つの視点から撮影された２視差画像を立体視可能なモニタが実用化されている。また、近年、レンチキュラーレンズ等の光線制御子を用いて、複数の視点から撮影された多視差画像（例えば、９視差画像）を裸眼にて立体視可能なモニタが実用化されている。なお、立体視可能なモニタにて表示される２視差画像や９視差画像は、１視点から撮影された画像の奥行き情報を推定し、推定した情報を用いた画像処理により生成される場合もある。
【０００３】
一方、Ｘ線ＣＴ（Computed  Tomography）装置やＭＲＩ（Magnetic  Resonance  Imaging）装置、超音波診断装置等の医用画像診断装置では、３次元の医用画像データ（以下、ボリュームデータ）を生成可能な装置が実用化されている。従来、かかる医用画像診断装置により生成されたボリュームデータは、種々の画像処理により２次元画像とされ、汎用モニタ上にて２次元表示される。例えば、医用画像診断装置により生成されたボリュームデータは、ボリュームレンダリング処理により３次元の情報を反映した２次元画像とされ、汎用モニタ上にて２次元表示される。しかしながら、従来技術では、観察者の人数に応じた画像を表示することが困難であった。
【先行技術文献】
【特許文献】
【０００４】
【特許文献１】特開２００５−８６４１４号公報
【発明の概要】
【発明が解決しようとする課題】
【０００５】
本発明が解決しようとする課題は、観察者の人数に応じた画像を表示することができる画像処理システム、装置、方法及び医用画像診断装置を提供することである。
【課題を解決するための手段】
【０００６】
実施形態の画像処理システムは、表示手段と、検出手段と、出力制御手段とを備える。表示手段は、視差画像群を表示することで表示対象物を立体視させる。検出手段は、前記表示手段によって描出された前記表示対象物の観察者を検出する。表示制御手段は、前記検出手段によって複数の観察者が検出された場合に、前記複数の観察者それぞれの位置と現時点の視域とのずれをそれぞれ算出し、算出したずれに基づいて、視域に含まれる観察者の人数が最多となるように前記現時点の視域を移動させた後、前記複数の観察者に対して同一視点からの立体画像を表示するための視差画像群を前記表示手段にて表示させる。
【図面の簡単な説明】
【０００７】
【図１】図１は、第１の実施形態に係る画像処理システムの構成例を説明するための図である。
【図２】図２は、２視差画像により立体表示を行なう立体表示モニタの一例を説明するための図である。
【図３】図３は、９視差画像により立体表示を行なう立体表示モニタの一例を説明するための図である。
【図４】図４は、第１の実施形態に係るワークステーションの構成例を説明するための図である。
【図５】図５は、図４に示すレンダリング処理部の構成例を説明するための図である。
【図６】図６は、第１の実施形態に係るボリュームレンダリング処理の一例を説明するための図である。
【図７】図７は、第１の実施形態に係る制御部の構成例を説明するための図である。
【図８】図８は、第１の実施形態に係る観察者検出部による観察者の位置の情報を取得する処理の一例を説明するための図である。
【図９】図９は、第１の実施形態に係る視域を説明するための図である。
【図１０】図１０は、第１の実施形態に係る表示制御部による第１の表示処理の一例を説明するため図である。
【図１１】図１１は、第１の実施形態に係る表示制御部による視域の調整方法の一例を説明するための図である。
【図１２】図１２は、第１の実施形態に係る表示制御部による第２の表示処理の一例を説明するため図である。
【図１３】図１３は、第１の実施形態に係る表示制御部による第３の表示処理の一例を説明するため図である。
【図１４】図１４は、第１の実施形態に係る表示制御部による同一表示モードの視域調節を説明するための図である。
【図１５】図１５は、第１の実施形態に係る記憶部によって記憶される情報の一例を示す図である。
【図１６】図１６は、第１の実施形態に係るワークステーションによる処理の手順を示すフローチャートである。
【図１７】図１７は、第２の実施形態に係る表示制御部による視域の調整方法の一例を説明するための図である。
【図１８】図１８は、第２の実施形態に係る記憶部によって記憶される情報の一例を示す図である。
【発明を実施するための形態】
【０００８】
以下、添付図面を参照して、画像処理システム、装置、方法及び医用画像診断装置の実施形態を詳細に説明する。なお、以下では、画像処理装置としての機能を有するワークステーションを含む画像処理システムを実施形態として説明する。ここで、以下の実施形態で用いる用語について説明すると、「視差画像群」とは、ボリュームデータに対して、所定の視差角ずつ視点位置を移動させてボリュームレンダリング処理を行なうことで生成された画像群のことである。すなわち、「視差画像群」は、「視点位置」が異なる複数の「視差画像」から構成される。また、「視差角」とは、「視差画像群」を生成するために設定された各視点位置のうち隣接する視点位置とボリュームデータによって表される空間内の所定位置（例えば、空間の中心）とにより定まる角度のことである。また、「視差数」とは、立体表示モニタにて立体視されるために必要となる「視差画像」の数のことである。また、以下で記載する「９視差画像」とは、９つの「視差画像」から構成される「視差画像群」のことである。また、以下で記載する「２視差画像」とは、２つの「視差画像」から構成される「視差画像群」のことである。
【０００９】
（第１の実施形態）
まず、第１の実施形態に係る画像処理システムの構成例について説明する。図１は、第１の実施形態に係る画像処理システムの構成例を説明するための図である。
【００１０】
図１に示すように、第１の実施形態に係る画像処理システム１は、医用画像診断装置１１０と、画像保管装置１２０と、ワークステーション１３０と、端末装置１４０とを有する。図１に例示する各装置は、例えば、病院内に設置された院内ＬＡＮ（Local  Area  Network）２により、直接的、又は間接的に相互に通信可能な状態となっている。例えば、画像処理システム１にＰＡＣＳ（Picture  Archiving  and  Communication  System）が導入されている場合、各装置は、ＤＩＣＯＭ（Digital  Imaging  and  Communications  in  Medicine）規格に則って、医用画像等を相互に送受信する。
【００１１】
かかる画像処理システム１は、医用画像診断装置１１０により生成された３次元の医用画像データであるボリュームデータから視差画像群を生成し、この視差画像群を立体視可能なモニタに表示することで、病院内に勤務する医師や検査技師に立体視可能な医用画像を提供する。具体的には、第１の実施形態においては、ワークステーション１３０が、ボリュームデータに対して種々の画像処理を行ない、視差画像群を生成する。また、ワークステーション１３０及び端末装置１４０が、立体視可能なモニタを有し、ワークステーション１３０にて生成された視差画像群をこのモニタに表示する。また、画像保管装置１２０は、医用画像診断装置１１０にて生成されたボリュームデータや、ワークステーション１３０にて生成された視差画像群を保管する。すなわち、ワークステーション１３０や端末装置１４０は、この画像保管装置１２０からボリュームデータや視差画像群を取得し、これを処理したり、モニタに表示したりする。以下、各装置を順に説明する。
【００１２】
医用画像診断装置１１０は、Ｘ線診断装置、Ｘ線ＣＴ（Computed  Tomography）装置、ＭＲＩ（Magnetic  Resonance  Imaging）装置、超音波診断装置、ＳＰＥＣＴ（Single  Photon  Emission  Computed  Tomography）装置、ＰＥＴ（Positron  Emission  computed  Tomography）装置、ＳＰＥＣＴ装置とＸ線ＣＴ装置とが一体化されたＳＰＥＣＴ−ＣＴ装置、ＰＥＴ装置とＸ線ＣＴ装置とが一体化されたＰＥＴ−ＣＴ装置、又はこれらの装置群等である。また、第１の実施形態に係る医用画像診断装置１１０は、３次元の医用画像データ（ボリュームデータ）を生成可能である。
【００１３】
具体的には、第１の実施形態に係る医用画像診断装置１１０は、被検体を撮影することによりボリュームデータを生成する。例えば、医用画像診断装置１１０は、被検体を撮影することにより投影データやＭＲ信号等のデータを収集し、収集したデータから、被検体の体軸方向に沿った複数のアキシャル面の医用画像データを再構成することで、ボリュームデータを生成する。例えば、医用画像診断装置１１０は、５００枚のアキシャル面の医用画像データを再構成する。この５００枚のアキシャル面の医用画像データ群が、ボリュームデータである。なお、医用画像診断装置１１０により撮影された被検体の投影データやＭＲ信号等自体をボリュームデータとしても良い。
【００１４】
また、第１の実施形態に係る医用画像診断装置１１０は、生成したボリュームデータを画像保管装置１２０に送信する。なお、医用画像診断装置１１０は、ボリュームデータを画像保管装置１２０に送信する際に、付帯情報として、例えば、患者を識別する患者ＩＤ、検査を識別する検査ＩＤ、医用画像診断装置１１０を識別する装置ＩＤ、医用画像診断装置１１０による１回の撮影を識別するシリーズＩＤ等を送信する。
【００１５】
画像保管装置１２０は、医用画像を保管するデータベースである。具体的には、第１の実施形態に係る画像保管装置１２０は、医用画像診断装置１１０から送信されたボリュームデータを記憶部に格納し、これを保管する。また、第１の実施形態においては、ワークステーション１３０が、ボリュームデータから視差画像群を生成し、生成した視差画像群を画像保管装置１２０に送信する。このため、画像保管装置１２０は、ワークステーション１３０から送信された視差画像群を記憶部に格納し、これを保管する。なお、本実施形態は、大容量の画像を保管可能なワークステーション１３０を用いることで、図１に例示するワークステーション１３０と画像保管装置１２０とが統合される場合であっても良い。すなわち、本実施形態は、ワークステーション１３０そのものにボリュームデータもしくは視差画像群を記憶させる場合であっても良い。
【００１６】
なお、第１の実施形態において、画像保管装置１２０に保管されたボリュームデータや視差画像群は、患者ＩＤ、検査ＩＤ、装置ＩＤ、シリーズＩＤ等と対応付けて保管される。このため、ワークステーション１３０や端末装置１４０は、患者ＩＤ、検査ＩＤ、装置ＩＤ、シリーズＩＤ等を用いた検索を行なうことで、必要なボリュームデータや視差画像群を画像保管装置１２０から取得する。
【００１７】
ワークステーション１３０は、医用画像に対して画像処理を行なう画像処理装置である。具体的には、第１の実施形態に係るワークステーション１３０は、画像保管装置１２０から取得したボリュームデータに対して種々のレンダリング処理を行ない、視差画像群を生成する。視差画像群とは、複数の視点から撮影された複数の視差画像のことであり、例えば、９視差画像を裸眼にて立体視可能なモニタにて表示される視差画像群とは、視点位置が異なる９つの視差画像のことである。
【００１８】
また、第１の実施形態に係るワークステーション１３０は、表示部として、立体視可能なモニタ（以下、立体表示モニタ）を有する。ワークステーション１３０は、視差画像群を生成し、生成した視差画像群を立体表示モニタに表示する。この結果、ワークステーション１３０の操作者は、立体表示モニタに表示された立体視可能な医用画像を確認しながら、視差画像群生成のための操作を行なうことができる。
【００１９】
また、ワークステーション１３０は、生成した視差画像群を画像保管装置１２０に送信する。なお、ワークステーション１３０は、視差画像群を画像保管装置１２０に送信する際に、付帯情報として、例えば、患者ＩＤ、検査ＩＤ、装置ＩＤ、シリーズＩＤ等を送信する。また、視差画像群を画像保管装置１２０に送信する際に送信される付帯情報としては、視差画像群に関する付帯情報も挙げられる。視差画像群に関する付帯情報としては、視差画像の枚数（例えば、「９」）や、視差画像の解像度（例えば、「４６６×３５０画素」）等がある。
【００２０】
端末装置１４０は、病院内に勤務する医師や検査技師に医用画像を閲覧させるための装置である。例えば、端末装置１４０は、病院内に勤務する医師や検査技師により操作されるＰＣ（Personal  Computer）やタブレット式ＰＣ、ＰＤＡ（Personal  Digital  Assistant）、携帯電話等である。具体的には、第１の実施形態に係る端末装置１４０は、表示部として立体表示モニタを有する。また、端末装置１４０は、画像保管装置１２０から視差画像群を取得し、取得した視差画像群を立体表示モニタに表示する。この結果、観察者である医師や検査技師は、立体視可能な医用画像を閲覧することができる。
【００２１】
ここで、ワークステーション１３０や端末装置１４０が有する立体表示モニタについて説明する。現在最も普及している一般的な汎用モニタは、２次元画像を２次元で表示するものであり、２次元画像を立体表示することができない。仮に、観察者が汎用モニタにて立体視を要望する場合、汎用モニタに対して画像を出力する装置は、平行法や交差法により観察者が立体視可能な２視差画像を並列表示させる必要がある。又は、汎用モニタに対して画像を出力する装置は、例えば、左目用の部分に赤色のセロハンが取り付けられ、右目用の部分に青色のセロハンが取り付けられたメガネを用いて余色法により観察者が立体視可能な画像を表示する必要がある。
【００２２】
一方、立体表示モニタとしては、立体視用メガネ等の専用機器を用いることで、２視差画像（両眼視差画像とも称する）を立体視可能とするものがある。
【００２３】
図２は、２視差画像により立体表示を行なう立体表示モニタの一例を説明するための図である。図２に示す一例は、シャッター方式により立体表示を行なう立体表示モニタであり、モニタを観察する観察者が装着する立体視用メガネとしてシャッターメガネが用いられる。かかる立体表示モニタは、モニタにて２視差画像を交互に出射する。例えば、図２の（Ａ）に示すモニタは、左目用の画像と右目用の画像を、１２０Ｈｚにて交互に出射する。ここで、モニタには、図２の（Ａ）に示すように、赤外線出射部が設置され、赤外線出射部は、画像が切り替わるタイミングに合わせて赤外線の出射を制御する。
【００２４】
また、赤外線出射部から出射された赤外線は、図２の（Ａ）に示すシャッターメガネの赤外線受光部により受光される。シャッターメガネの左右それぞれの枠には、シャッターが取り付けられており、シャッターメガネは、赤外線受光部が赤外線を受光したタイミングに合わせて左右のシャッターそれぞれの透過状態及び遮光状態を交互に切り替える。以下、シャッターにおける透過状態及び遮光状態の切り替え処理について説明する。
【００２５】
各シャッターは、図２の（Ｂ）に示すように、入射側の偏光板と出射側の偏光板とを有し、更に、入射側の偏光板と出射側の偏光板との間に液晶層を有する。また、入射側の偏光板と出射側の偏光板とは、図２の（Ｂ）に示すように、互いに直交している。ここで、図２の（Ｂ）に示すように、電圧が印加されていない「ＯＦＦ」の状態では、入射側の偏光板を通った光は、液晶層の作用により９０度回転し、出射側の偏光板を透過する。すなわち、電圧が印加されていないシャッターは、透過状態となる。
【００２６】
一方、図２の（Ｂ）に示すように、電圧が印加された「ＯＮ」の状態では、液晶層の液晶分子による偏光回転作用が消失するため、入射側の偏光板を通った光は、出射側の偏光板で遮られてしまう。すなわち、電圧が印加されたシャッターは、遮光状態となる。
【００２７】
そこで、例えば、赤外線出射部は、モニタ上に左目用の画像が表示されている期間、赤外線を出射する。そして、赤外線受光部は、赤外線を受光している期間、左目のシャッターに電圧を印加せず、右目のシャッターに電圧を印加させる。これにより、図２の（Ａ）に示すように、右目のシャッターが遮光状態となり、左目のシャッターが透過状態となるため、観察者の左目に左目用の画像が入射する。一方、赤外線出射部は、モニタ上に右目用の画像が表示されている期間、赤外線の出射を停止する。そして、赤外線受光部は、赤外線が受光されない期間、右目のシャッターに電圧を印加せず、左目のシャッターに電圧を印加させる。これにより、左目のシャッターが遮光状態となり、右目のシャッターが透過状態であるため、観察者の右目に右目用の画像が入射する。このように、図２に示す立体表示モニタは、モニタに表示される画像とシャッターの状態を連動させて切り替えることで、観察者が立体視可能な画像を表示させる。なお、２視差画像を立体視可能な立体表示モニタとしては、上記のシャッター方式以外にも、偏光メガネ方式を採用したモニタも知られている。
【００２８】
更に、近年実用化された立体表示モニタとしては、レンチキュラーレンズ等の光線制御子を用いることで、例えば、９視差画像等の多視差画像を観察者が裸眼にて立体視可能とするものがある。かかる立体表示モニタは、両眼視差による立体視を可能とし、更に、観察者の視点移動に合わせて観察される映像も変化する運動視差による立体視も可能とする。
【００２９】
図３は、９視差画像により立体表示を行なう立体表示モニタの一例を説明するための図である。図３に示す立体表示モニタには、液晶パネル等の平面状の表示面２００の前面に、光線制御子が配置される。例えば、図３に示す立体表示モニタには、光線制御子として、光学開口が垂直方向に延びる垂直レンチキュラーシート２０１が表示面２００の前面に貼り付けられている。
【００３０】
表示面２００には、図３に示すように、縦横比が３：１であり、縦方向にサブ画素である赤（Ｒ）、緑（Ｇ）、青（Ｂ）の３つが配置された画素２０２がマトリクス状に配置される。図３に示す立体表示モニタは、９つの画像により構成される９視差画像を、所定フォーマット（例えば格子状）に配置した中間画像に変換したうえで、表示面２００に出力する。すなわち、図３に示す立体表示モニタは、９視差画像にて同一位置にある９つの画素それぞれを、９列の画素２０２に割り振って出力させる。９列の画素２０２は、視点位置の異なる９つの画像を同時に表示する単位画素群２０３となる。
【００３１】
表示面２００において単位画素群２０３として同時に出力された９視差画像は、例えば、ＬＥＤ（Light  Emitting  Diode）バックライトにより平行光として放射され、更に、垂直レンチキュラーシート２０１により、多方向に放射される。９視差画像の各画素の光が多方向に放射されることにより、観察者の右目及び左目に入射する光は、観察者の位置（視点の位置）に連動して変化する。すなわち、観察者の見る角度により、右目に入射する視差画像と左目に入射する視差画像とは、視差角が異なる。これにより、観察者は、例えば、図３に示す９つの位置それぞれにおいて、撮影対象を立体的に視認できる。また、観察者は、例えば、図３に示す「５」の位置において、撮影対象に対して正対した状態で立体的に視認できるとともに、図３に示す「５」以外それぞれの位置において、撮影対象の向きを変化させた状態で立体的に視認できる。なお、図３に示す立体表示モニタは、あくまでも一例である。９視差画像を表示する立体表示モニタは、図３に示すように、「ＲＲＲ・・・、ＧＧＧ・・・、ＢＢＢ・・・」の横ストライプ液晶である場合であっても良いし、「ＲＧＢＲＧＢ・・・」の縦ストライプ液晶である場合であっても良い。また、図３に示す立体表示モニタは、図３に示すように、レンチキュラーシートが垂直となる縦レンズ方式である場合であっても良いし、レンチキュラーシートが斜めとなる斜めレンズ方式である場合であっても良い。
【００３２】
ここまで、第１の実施形態に係る画像処理システム１の構成例について簡単に説明した。なお、上述した画像処理システム１は、ＰＡＣＳが導入されている場合にその適用が限られるものではない。例えば、画像処理システム１は、医用画像が添付された電子カルテを管理する電子カルテシステムが導入されている場合にも、同様に適用される。この場合、画像保管装置１２０は、電子カルテを保管するデータベースである。また、例えば、画像処理システム１は、ＨＩＳ（Hospital  Information  System）、ＲＩＳ（Radiology  Information  System）が導入されている場合にも、同様に適用される。また、画像処理システム１は、上述した構成例に限られるものではない。各装置が有する機能やその分担は、運用の形態に応じて適宜変更されてよい。
【００３３】
次に、第１の実施形態に係るワークステーションの構成例について図４を用いて説明する。図４は、第１の実施形態に係るワークステーションの構成例を説明するための図である。なお、以下において、「視差画像群」とは、ボリュームデータに対してボリュームレンダリング処理を行なうことで生成された立体視用の画像群のことである。また、「視差画像」とは、「視差画像群」を構成する個々の画像のことである。すなわち、「視差画像群」は、視点位置が異なる複数の「視差画像」から構成される。
【００３４】
第１の実施形態に係るワークステーション１３０は、画像処理等に適した高性能なコンピュータであり、図４に示すように、入力部１３１と、表示部１３２と、通信部１３３と、記憶部１３４と、制御部１３５と、レンダリング処理部１３６と、検出部１３７とを有する。なお、以下では、ワークステーション１３０が画像処理等に適した高性能なコンピュータである場合を用いて説明するが、これに限定されるものではなく、任意の情報処理装置であって良い。例えば、任意のパーソナルコンピュータであっても良い。
【００３５】
入力部１３１は、マウス、キーボード、トラックボール等であり、ワークステーション１３０に対する各種操作の入力を操作者から受け付ける。具体的には、第１の実施形態に係る入力部１３１は、レンダリング処理の対象となるボリュームデータを画像保管装置１２０から取得するための情報の入力を受け付ける。例えば、入力部１３１は、患者ＩＤ、検査ＩＤ、装置ＩＤ、シリーズＩＤ等の入力を受け付ける。また、第１の実施形態に係る入力部１３１は、レンダリング処理に関する条件（以下、レンダリング条件）の入力を受け付ける。
【００３６】
表示部１３２は、立体表示モニタとしての液晶パネル等であり、各種情報を表示する。具体的には、第１の実施形態に係る表示部１３２は、操作者から各種操作を受け付けるためのＧＵＩ（Graphical  User  Interface）や、視差画像群等を表示する。通信部１３３は、ＮＩＣ（Network  Interface  Card）等であり、他の装置との間で通信を行う。
【００３７】
記憶部１３４は、ハードディスク、半導体メモリ素子等であり、各種情報を記憶する。具体的には、第１の実施形態に係る記憶部１３４は、通信部１３３を介して画像保管装置１２０から取得したボリュームデータを記憶する。また、第１の実施形態に係る記憶部１３４は、レンダリング処理中のボリュームデータや、レンダリング処理により生成された視差画像群、及び、２次元表示用の画像等を記憶する。
【００３８】
制御部１３５は、ＣＰＵ（Central  Processing  Unit）やＭＰＵ（Micro  Processing  Unit）等の電子回路、ＡＳＩＣ（Application  Specific  Integrated  Circuit）やＦＰＧＡ（Field  Programmable  Gate  Array）等の集積回路であり、ワークステーション１３０の全体制御を行なう。
【００３９】
例えば、第１の実施形態に係る制御部１３５は、表示部１３２に対するＧＵＩの表示や視差画像群の表示を制御する。また、例えば、制御部１３５は、画像保管装置１２０との間で通信部１３３を介して行なわれるボリュームデータや視差画像群の送受信を制御する。また、例えば、制御部１３５は、レンダリング処理部１３６によるレンダリング処理を制御する。また、例えば、制御部１３５は、ボリュームデータの記憶部１３４からの読み込みや、視差画像群の記憶部１３４への格納を制御する。
【００４０】
レンダリング処理部１３６は、制御部１３５による制御の下、画像保管装置１２０から取得したボリュームデータに対して種々のレンダリング処理を行ない、視差画像群を生成する。なお、レンダリング処理部１３６の処理については、後に詳述する。
【００４１】
検出部１３７は、表示部１３２に対する視差画像の観察者の位置を検出する。具体的には、検出部１３７は、表示部１３２に対する観察者の立ち位置、観察者の顔の位置、観察者の視線位置などを検出する。検出部１３７としては、例えば、カメラを用いたヘッドトラッキング装置や、光学式又は磁気式の位置センサーや、機械式のモーションキャプチャシステムなどである。なお、第１の実施形態では、検出部１３７として、カメラを用いたヘッドトラッキング装置を利用する場合について説明するが、その説明については、後述する。
【００４２】
レンダリング処理部１３６は、制御部１３５による制御の下、画像保管装置１２０から取得したボリュームデータに対して種々のレンダリング処理を行ない、視差画像群を生成する。具体的には、第１の実施形態に係るレンダリング処理部１３６は、記憶部１３４からボリュームデータを読み込み、このボリュームデータに対して、まず前処理を行なう。次に、レンダリング処理部１３６は、前処理後のボリュームデータに対してボリュームレンダリング処理を行ない、視差画像群を生成する。続いて、レンダリング処理部１３６は、各種情報（目盛り、患者名、検査項目等）が描出された２次元画像を生成し、これを視差画像群それぞれに対して重畳することで、出力用の２次元画像を生成する。そして、レンダリング処理部１３６は、生成した視差画像群や出力用の２次元画像を記憶部１３４に格納する。なお、第１の実施形態において、レンダリング処理とは、ボリュームデータに対して行なう画像処理全体のことであり、ボリュームレンダリング処理とは、レンダリング処理の内、３次元の情報を反映した２次元画像を生成する処理のことである。レンダリング処理により生成される医用画像とは、例えば、視差画像が該当する。
【００４３】
図５は、図４に示すレンダリング処理部の構成例を説明するための図である。図５に示すように、レンダリング処理部１３６は、前処理部１３６１と、３次元画像処理部１３６２と、２次元画像処理部１３６３とを有する。前処理部１３６１が、ボリュームデータに対する前処理を行い、３次元画像処理部１３６２が、前処理後のボリュームデータから視差画像群を生成し、２次元画像処理部１３６３が、視差画像群に各種情報が重畳された出力用の２次元画像を生成する。以下、各部を順に説明する。
【００４４】
前処理部１３６１は、ボリュームデータに対してレンダリング処理を行なう際に、種々の前処理を行なう処理部であり、画像補正処理部１３６１ａと、３次元物体フュージョン部１３６１ｅと、３次元物体表示領域設定部１３６１ｆとを有する。
【００４５】
画像補正処理部１３６１ａは、２種類のボリュームデータを１つのボリュームデータとして処理する際に画像補正処理を行なう処理部であり、図５に示すように、歪み補正処理部１３６１ｂ、体動補正処理部１３６１ｃ及び画像間位置合わせ処理部１３６１ｄを有する。例えば、画像補正処理部１３６１ａは、ＰＥＴ−ＣＴ装置により生成されたＰＥＴ画像のボリュームデータとＸ線ＣＴ画像のボリュームデータとを１つのボリュームデータとして処理する際に画像補正処理を行なう。或いは、画像補正処理部１３６１ａは、ＭＲＩ装置により生成されたＴ１強調画像のボリュームデータとＴ２強調画像のボリュームデータとを１つのボリュームデータとして処理する際に画像補正処理を行なう。
【００４６】
また、歪み補正処理部１３６１ｂは、個々のボリュームデータにおいて、医用画像診断装置１１０によるデータ収集時の収集条件に起因するデータの歪みを補正する。また、体動補正処理部１３６１ｃは、個々のボリュームデータを生成するために用いられたデータの収集時期における被検体の体動に起因する移動を補正する。また、画像間位置合わせ処理部１３６１ｄは、歪み補正処理部１３６１ｂ及び体動補正処理部１３６１ｃによる補正処理が行なわれた２つのボリュームデータ間で、例えば、相互相関法等を用いた位置合わせ（Registration）を行なう。
【００４７】
３次元物体フュージョン部１３６１ｅは、画像間位置合わせ処理部１３６１ｄにより位置合わせが行なわれた複数のボリュームデータをフュージョンさせる。なお、画像補正処理部１３６１ａ及び３次元物体フュージョン部１３６１ｅの処理は、単一のボリュームデータに対してレンダリング処理を行なう場合、省略される。
【００４８】
３次元物体表示領域設定部１３６１ｆは、操作者により指定された表示対象臓器に対応する表示領域を設定する処理部であり、セグメンテーション処理部１３６１ｇを有する。セグメンテーション処理部１３６１ｇは、操作者により指定された心臓、肺、血管等の臓器を、例えば、ボリュームデータの画素値（ボクセル値）に基づく領域拡張法により抽出する処理部である。
【００４９】
なお、セグメンテーション処理部１３６１ｇは、操作者により表示対象臓器が指定されなかった場合、セグメンテーション処理を行なわない。また、セグメンテーション処理部１３６１ｇは、操作者により表示対象臓器が複数指定された場合、該当する複数の臓器を抽出する。また、セグメンテーション処理部１３６１ｇの処理は、レンダリング画像を参照した操作者の微調整要求により再度実行される場合もある。
【００５０】
３次元画像処理部１３６２は、前処理部１３６１が処理を行なった前処理後のボリュームデータに対してボリュームレンダリング処理を行なう。ボリュームレンダリング処理を行なう処理部として、３次元画像処理部１３６２は、投影方法設定部１３６２ａと、３次元幾何変換処理部１３６２ｂと、３次元物体アピアランス処理部１３６２ｆと、３次元仮想空間レンダリング部１３６２ｋとを有する。
【００５１】
投影方法設定部１３６２ａは、視差画像群を生成するための投影方法を決定する。例えば、投影方法設定部１３６２ａは、ボリュームレンダリング処理を平行投影法により実行するか、透視投影法により実行するかを決定する。
【００５２】
３次元幾何変換処理部１３６２ｂは、ボリュームレンダリング処理が実行されるボリュームデータを３次元幾何学的に変換するための情報を決定する処理部であり、平行移動処理部１３６２ｃ、回転処理部１３６２ｄ及び拡大縮小処理部１３６２ｅを有する。平行移動処理部１３６２ｃは、ボリュームレンダリング処理を行なう際の視点位置が平行移動された場合に、ボリュームデータを平行移動させる移動量を決定する処理部であり、回転処理部１３６２ｄは、ボリュームレンダリング処理を行なう際の視点位置が回転移動された場合に、ボリュームデータを回転移動させる移動量を決定する処理部である。また、拡大縮小処理部１３６２ｅは、視差画像群の拡大や縮小が要求された場合に、ボリュームデータの拡大率や縮小率を決定する処理部である。
【００５３】
３次元物体アピアランス処理部１３６２ｆは、３次元物体色彩処理部１３６２ｇ、３次元物体不透明度処理部１３６２ｈ、３次元物体材質処理部１３６２ｉ及び３次元仮想空間光源処理部１３６２ｊを有する。３次元物体アピアランス処理部１３６２ｆは、これらの処理部により、例えば、操作者の要求に応じて、表示される視差画像群の表示状態を決定する処理を行なう。
【００５４】
３次元物体色彩処理部１３６２ｇは、ボリュームデータにてセグメンテーションされた各領域に対して着色される色彩を決定する処理部である。３次元物体不透明度処理部１３６２ｈは、ボリュームデータにてセグメンテーションされた各領域を構成する各ボクセルの不透過度（Opacity）を決定する処理部である。なお、ボリュームデータにおいて不透過度が「１００％」とされた領域の後方の領域は、視差画像群において描出されないこととなる。また、ボリュームデータにおいて不透過度が「０％」とされた領域は、視差画像群において描出されないこととなる。
【００５５】
３次元物体材質処理部１３６２ｉは、ボリュームデータにてセグメンテーションされた各領域の材質を決定することで、この領域が描出される際の質感を調整する処理部である。３次元仮想空間光源処理部１３６２ｊは、ボリュームデータに対してボリュームレンダリング処理を行なう際に、３次元仮想空間に設置する仮想光源の位置や、仮想光源の種類を決定する処理部である。仮想光源の種類としては、無限遠から平行な光線を照射する光源や、視点から放射状の光線を照射する光源等が挙げられる。
【００５６】
３次元仮想空間レンダリング部１３６２ｋは、ボリュームデータに対してボリュームレンダリング処理を行ない、視差画像群を生成する。また、３次元仮想空間レンダリング部１３６２ｋは、ボリュームレンダリング処理を行なう際、必要に応じて、投影方法設定部１３６２ａ、３次元幾何変換処理部１３６２ｂ、３次元物体アピアランス処理部１３６２ｆにより決定された各種情報を用いる。
【００５７】
ここで、３次元仮想空間レンダリング部１３６２ｋによるボリュームレンダリング処理は、レンダリング条件に従って行なわれることになる。例えば、レンダリング条件は、「平行投影法」又は「透視投影法」である。また、例えば、レンダリング条件は、「基準の視点位置及び視差角」である。また、例えば、レンダリング条件は、「視点位置の平行移動」、「視点位置の回転移動」、「視差画像群の拡大」、「視差画像群の縮小」である。また、例えば、レンダリング条件は、「着色される色彩」、「透過度」、「質感」、「仮想光源の位置」、「仮想光源の種類」である。このようなレンダリング条件は、入力部１３１を介して操作者から受け付ける場合や、初期設定される場合が考えられる。いずれの場合も、３次元仮想空間レンダリング部１３６２ｋは、制御部１３５からレンダリング条件を受け付け、このレンダリング条件に従って、ボリュームデータに対するボリュームレンダリング処理を行なう。また、このとき、上述した投影方法設定部１３６２ａ、３次元幾何変換処理部１３６２ｂ、３次元物体アピアランス処理部１３６２ｆが、このレンダリング条件に従って必要な各種情報を決定するので、３次元仮想空間レンダリング部１３６２ｋは、決定されたこれらの各種情報を用いて視差画像群を生成する。
【００５８】
図６は、第１の実施形態に係るボリュームレンダリング処理の一例を説明するための図である。例えば、３次元仮想空間レンダリング部１３６２ｋが、図６の「９視差画像生成方式（１）」に示すように、レンダリング条件として、平行投影法を受け付け、更に、基準の視点位置（５）と視差角「１度」とを受け付けたとする。かかる場合、３次元仮想空間レンダリング部１３６２ｋは、視差角が「１度」おきとなるように、視点の位置を（１）〜（９）に平行移動して、平行投影法により視差角（視線方向間の角度）が１度ずつ異なる９つの視差画像を生成する。なお、平行投影法を行なう場合、３次元仮想空間レンダリング部１３６２ｋは、視線方向に沿って無限遠から平行な光線を照射する光源を設定する。
【００５９】
或いは、３次元仮想空間レンダリング部１３６２ｋが、図６の「９視差画像生成方式（２）」に示すように、レンダリング条件として、透視投影法を受け付け、更に、基準の視点位置（５）と視差角「１度」とを受け付けたとする。かかる場合、３次元仮想空間レンダリング部１３６２ｋは、ボリュームデータの中心（重心）を中心に視差角が「１度」おきとなるように、視点の位置を（１）〜（９）に回転移動して、透視投影法により視差角が１度ずつ異なる９つの視差画像を生成する。なお、透視投影法を行なう場合、３次元仮想空間レンダリング部１３６２ｋは、視線方向を中心に光を３次元的に放射状に照射する点光源や面光源を各視点にて設定する。また、透視投影法を行なう場合、レンダリング条件によっては、視点（１）〜（９）は、平行移動される場合であってもよい。
【００６０】
なお、３次元仮想空間レンダリング部１３６２ｋは、表示されるボリュームレンダリング画像の縦方向に対しては、視線方向を中心に光を２次元的に放射状に照射し、表示されるボリュームレンダリング画像の横方向に対しては、視線方向に沿って無限遠から平行な光線を照射する光源を設定することで、平行投影法と透視投影法とを併用したボリュームレンダリング処理を行なってもよい。
【００６１】
このようにして生成された９つの視差画像が、視差画像群である。第１の実施形態において、９つの視差画像は、例えば制御部１３５により所定フォーマット（例えば格子状）に配置した中間画像に変換され、立体表示モニタとしての表示部１３２に出力される。すると、ワークステーション１３０の操作者は、立体表示モニタに表示された立体視可能な医用画像を確認しながら、視差画像群生成のための操作を行なうことができる。
【００６２】
なお、図６の例では、レンダリング条件として、投影方法、基準の視点位置及び視差角を受け付けた場合を説明したが、レンダリング条件として、他の条件を受け付けた場合も同様に、３次元仮想空間レンダリング部１３６２ｋは、それぞれのレンダリング条件を反映しつつ、視差画像群を生成する。
【００６３】
また、３次元仮想空間レンダリング部１３６２ｋは、ボリュームレンダリングだけでなく、任意の平面（例えば、アキシャル面、サジタル面、コロナル面など）の平面画像を再構成する。例えば、３次元仮想空間レンダリング部１３６２ｋは、断面再構成法（ＭＰＲ：Multi  Planer  Reconstruction）を行なってボリュームデータからＭＰＲ画像を再構成する。なお、３次元仮想空間レンダリング部１３６２ｋは、「Curved  MPR」を行なう機能や、「Intensity  Projection」を行なう機能も有する。
【００６４】
続いて、３次元画像処理部１３６２がボリュームデータから生成した視差画像群は、アンダーレイ（Underlay）とされる。そして、各種情報（目盛り、患者名、検査項目等）が描出されたオーバーレイ（Overlay）がアンダーレイに対して重畳されることで、出力用の２次元画像とされる。２次元画像処理部１３６３は、オーバーレイ及びアンダーレイに対して画像処理を行なうことで、出力用の２次元画像を生成する処理部であり、図５に示すように、２次元物体描画部１３６３ａ、２次元幾何変換処理部１３６３ｂ及び輝度調整部１３６３ｃを有する。例えば、２次元画像処理部１３６３は、出力用の２次元画像の生成処理に要する負荷を軽減するために、９枚の視差画像（アンダーレイ）のそれぞれに対して１枚のオーバーレイを重畳することで、出力用の２次元画像を９枚、生成する。
【００６５】
２次元物体描画部１３６３ａは、オーバーレイに描出される各種情報を描画する処理部であり、２次元幾何変換処理部１３６３ｂは、オーバーレイに描出される各種情報の位置を平行移動処理又は回転移動処理したり、オーバーレイに描出される各種情報の拡大処理又は縮小処理したりする処理部である。
【００６６】
また、輝度調整部１３６３ｃは、輝度変換処理を行なう処理部であり、例えば、出力先の立体表示モニタの諧調や、ウィンドウ幅（ＷＷ：Window  Width）、ウィンドウレベル（ＷＬ：Window Level）等の画像処理用のパラメータに応じて、オーバーレイ及びアンダーレイの輝度を調整する処理部である。
【００６７】
このようにして生成された出力用の２次元画像は、例えば制御部１３５により一旦記憶部１３４に格納され、その後、通信部１３３を介して画像保管装置１２０に送信される。例えば、端末装置１４０が、画像保管装置１２０からこの出力用の２次元画像を取得し、所定フォーマット（例えば格子状）に配置した中間画像に変換した上で立体表示モニタに表示すると、観察者である医師や検査技師は、各種情報（目盛り、患者名、検査項目等）が描出された状態で、立体視可能な医用画像を閲覧することができる。
【００６８】
以上、第１の実施形態に係る画像処理システム１及びワークステーション１３０の構成について説明した。かかる構成のもと、第１の実施形態に係るワークステーション１３０は、以下、詳細に説明する制御部１３５の処理により、観察者の人数に応じた画像を表示することが可能となるように構成されている。具体的には、第１の実施形態に係るワークステーション１３０は、観察者の人数に応じて、表示部１３２による視差画像群の表示方法を変更する。
【００６９】
図７は、第１の実施形態に係る制御部１３５の構成例を説明するための図である。図７に示すように、制御部１３５は、観察者検出部１３５１と、表示制御部１３５２とを有し、ヘッドトラッキング装置１３７１と接続されている。ヘッドトラッキング装置１３７１は、表示部１３２によって表示された表示対象物の観察者を検出する。具体的には、ヘッドトラッキング装置１３７１は、観察者を撮影するためのカメラを有し、後述する観察者検出部１３５１の制御の下、観察者を撮影する。なお、ヘッドトラッキング装置１３７１は、図４に示す検出部１３７の一例である。
【００７０】
観察者検出部１３５１は、表示部１３２に対する表示対象物の観察者を検出する。具体的には、観察者検出部１３５１は、ヘッドトラッキング装置１３７１を制御して観察者を撮影させ、表示部１３２に表示された表示対象物を観察する観察者の人数及び位置を検出する。図８は、第１の実施形態に係る観察者検出部１３５１による観察者の位置の情報を取得する処理の一例を説明するための図である。
【００７１】
ここで、多視差（例えば、９視差）で描出した三次元の医用画像を用いた読影について、図８を用いて説明する。多視差で描出した視差画像を表示することで３次元として認識される医用画像を読影する場合には、観察者の視点位置に応じて観察される映像も変化する。例えば、図８に示すヘッドトラッキング装置１３７１のカメラの撮影領域内において、撮影領域の中央、左端及び右端とでは、それぞれ異なる視点方向からボリュームレンダリングされた視差画像が観察される。すなわち、例えば、複数の観察者が、それぞれ異なる位置から視差画像を観察した場合には、観察者は、それぞれ異なる画像を観察することとなる。
【００７２】
そこで、観察者検出部１３５１は、図８に示すように、ヘッドトラッキング装置１３７１のカメラにより撮影された映像から顔認識のパターンマッチングにより観察者の顔を特定し、観察者の人数及び位置を検出する。例えば、観察者検出部１３５１は、パターンマッチングにより顔として認識した領域の数を、観察者の人数として検出する。そして、観察者検出部１３５１は、カメラの撮影領域において顔認識した領域を観察者の位置として検出する。そして、観察者検出部１３５１は、表示部１３２の表示面の中心を原点とし、表示面と平行な横方向をＸ軸、縦方向をＹ軸、表示面に対して垂直方向をＺ軸とした空間座標において、Ｚ軸と顔認識した領域の座標などを算出する。また、観察者検出部１３５１は、予め記憶部１３４に記憶された顔の登録情報から、検出した観察者が誰であるかを特定する。
【００７３】
図７に戻って、表示制御部１３５２は、観察者検出部１３５１によって検出された観察者の人数に応じて、表示部１３２による視差画像群の表示方法を変更する。具体的には、表示制御部１３５２は、観察者検出部１３５１によって一人以上の観察者が検出された場合に、観察者検出部１３５１によって検出された観察者の位置から表示対象物が立体視されるように視域を調整する。また、表示制御部１３５２は、観察者検出部１３５１によって一人以上の観察者が検出された場合に、当該観察者の位置に応じて、表示対象物に対して視点を変えて生成された視差画像群を表示部１３２にて表示させる。また、表示制御部１３５２は、観察者検出部１３５１によって複数の観察者が検出された場合に、当該複数の観察者に対して同一視点から生成された表示対象物の画像を表示部１３２にて表示させる。
【００７４】
上述したように、表示制御部１３５２は、観察者の人数に応じて、表示部１３２における表示方法を変更するが、以下では、まず、表示制御部１３５２によって制御される３つの表示方法について説明し、その後、表示方法の変更の一例について説明する。
【００７５】
まず、観察者の人数に応じて視域を調整する表示方法（追従モード）について説明するが、それに先立ち表示部１３２の視域について説明する。視域とは、表示部１３２によって表示された表示対象物が立体視可能な領域である。図９は、第１の実施形態に係る視域を説明するための図である。図９においては、図９の（Ａ）が９つの画素から構成される単位画素群とその前面に設置されたレンチキュラーレンズを示す。また、図９においては、図９の（Ｂ）が表示部１３２の前面に形成される視域を示す。
【００７６】
例えば、表示部１３２においては、図９の（Ａ）に示すように、単位画素群から出力される画像が、正面に位置するレンチキュラーレンズに加えて、隣接する左右のレンチキュラーレンズにも入射される。その結果、表示部１３２の前面には、図９の（Ｂ）に示すように、３箇所の視域が形成されることとなる。すなわち、表示部１３２の前面には、図９の（Ｂ）に示すように、全画面の全ての単位画素群について、正面に位置するレンチキュラーレンズを介して見ることができる正面視域と、隣接する左右のレンチキュラーレンズを介して見ることができるサイドローブ視域とが形成される。これらの視域は、例えば、モニタの正面と±６０度方向に存在し、各視域の範囲は±６０度方向から±１５度となる。
【００７７】
例えば、表示制御部１３５２は、観察者検出部１３５１によって検出された観察者の人数が一人であった場合に、観察者の動きに応じて視域をシフトさせる。図１０は、第１の実施形態に係る表示制御部１３５２による第１の表示処理の一例を説明するため図である。
【００７８】
例えば、観察者が、図１０の矢印３０１の方向に移動すると、表示制御部１３５２は、図１０の矢印３０２の方向に視域をシフトさせる。すなわち、表示制御部１３５２は、観察者が表示対象物を常に立体視できるように視域を調整する。その結果、観察者は、観察位置を気にすることなく、表示対象物を観察することが可能である。第１の実施形態に係るワークステーション１３０は、上述した視域の調整を行う処理を、例えば、図１０に示すように、＜追従モード＞として設定される。
【００７９】
ここで、図１１を用いて視域をシフトするための方法の一例を説明する。図１１は、第１の実施形態に係る表示制御部１３５２による視域の調整方法の一例を説明するための図である。図１１においては、表示部１３２の表示面に備えられた９列の画素からレンチキュラーレンズへの視差画像の投射について示す。例えば、表示制御部１３５２は、図１１の（Ａ）に示すように、レンチキュラーレンズの幅に対応する９つの画素にて視差画像群を表示させた状態で、観察者検出部１３５１によって観察者の位置が変化したことが検出されると、図１１の（Ｂ）に示すように、視差画像群を表示させる画素を観察者の位置に応じて移動させることで、視域をシフトさせる。
【００８０】
ここで、図１１に示すように、９視差の画像を表示する場合には、単位画素群から９つの光線がそれぞれレンチキュラーレンズから出射されるが、１光線の間隔は表示部ごとに固有の値を有している。例えば、表示部１３２において、レンチキュラーレンズが視差画像群を表す９つの光線を±θ１で振り分けている場合には、１光線の間隔を示すファクターである「ｔａｎθ」は、式「ｔａｎθ＝２×ｔａｎθ１÷９」で表される。そして、観察者と表示部１３２との距離「Ｌ」において、視差画像を表示させる画素を１つ移動させた場合の視域のずれは、「Ｌ×ｔａｎθ」となる。
【００８１】
表示制御部１３５２は、上記した式と、観察者検出部１３５１によって算出された観察者の座標とに基づいて、視差画像群を表示させる画素をどの程度移動させるかを算出し、視差画像群を表示させる画素を、算出した画素分移動させることで、視域をシフトさせる。
【００８２】
なお、上述した例では、観察者が一人の場合の追従モードについて説明したが、観察者が複数いる場合にも追従モードを適用することが可能である。一例を挙げると、まず、複数の観察者のなかで優先的に画像を観察させる人物を予め設定する。例えば、カメラに近い観察者や、特定の医師などを、優先的に画像を観察させる人物として予め設定する。そして、設定した観察者が移動したことを観察者検出部１３５１が検出すると、表示制御部１３５２は、設定された観察者が常に表示対象物を立体視できるように、視域をシフトさせる。
【００８３】
次に、観察者の位置に応じて、表示させる画像の角度を変化させる表示方法（回り込みモード）について説明する。例えば、表示制御部１３５２は、観察者検出部１３５１によって検出された観察者の人数が一人であった場合に、観察者の位置に応じて異なる視点方向から生成された視差画像群を表示させる。図１２は、第１の実施形態に係る表示制御部１３５２による第２の表示処理の一例を説明するため図である。
【００８４】
例えば、図１２に示すように、観察者が表示部１３２の正面に位置する場合には、表示制御部１３５２は、表示対象物が正面となる視点方向から生成した９視差の視差画像を表示部１３２に表示させる。そして、観察者が右側に移動すると、表示制御部１３５２は、視域を右にシフトさせながら、視点位置を段階的に左側にずらして生成した複数の視差画像群を生成した順に表示部１３２に表示させる。同様に、観察者が左側に移動すると、表示制御部１３５２は、視域を左にシフトさせながら、視点位置を段階的に右側にずらして生成した複数の視差画像群を生成した順に表示部１３２に表示させる。
【００８５】
すなわち、表示制御部１３５２は、観察者が表示対象物の全体像を観察できるように、観察者の移動に合わせて、ボリュームデータを回転させて生成した視差画像群を表示させる。その結果、観察者は、表示設定を変更することなく表示対象物の全体を観察することが可能である。第１の実施形態に係るワークステーション１３０は、上述した表示対象物の角度を変えた表示処理を、例えば、図１２に示すように、＜回り込みモード＞として設定される。
【００８６】
また、表示制御部１３５２は、＜回りこみモード＞として、上下方向にも同様の表示を行うことが可能である。例えば、観察者が表示部１３２の中心から上側に顔を移動させた場合には、表示制御部１３５２は、視点位置を段階的に上側にずらして生成した複数の視差画像群を生成した順に表示部１３２に表示させる。同様に、観察者が表示部１３２の中心から下側に顔を移動させた場合には、表示制御部１３５２は、視点位置を段階的に下側にずらして生成した複数の視差画像群を生成した順に表示部１３２に表示させる。
【００８７】
なお、上述した例では、観察者が一人の場合の回り込みモードについて説明したが、観察者が複数いる場合にも回り込みモードを適用することが可能である。一例を挙げると、まず、複数の観察者のなかで優先的に画像を観察させる人物を予め設定する。例えば、カメラに近い観察者や、特定の医師などを、優先的に画像を観察させる人物として予め設定する。そして、設定した観察者が移動したことを観察者検出部１３５１が検出すると、表示制御部１３５２は、設定された観察者が常に表示対象物の全体を観察することができるように、画像を表示させる。
【００８８】
次に、観察者が複数である場合に、複数の観察者に対して同一の画像を表示させる表示方法（同一表示モード）について説明する。例えば、表示制御部１３５２は、観察者検出部１３５１によって検出された観察者の人数が複数であった場合に、観察者それぞれに画像が見えるように視域を調節し、画像を表示させる。図１３は、第１の実施形態に係る表示制御部１３５２による第３の表示処理の一例を説明するため図である。
【００８９】
例えば、図１３に示すように、観察者が複数いる場合には、表示制御部１３５２は、観察者それぞれに画像が見えるように視域を調節した後、表示対象物が正面となる視点方向から生成した画像を表示させる。図１４は、第１の実施形態に係る表示制御部１３５２による同一表示モードの視域調節を説明するための図である。例えば、表示制御部１３５２は、図１４の（Ａ）に示すように、観察者検出部１３５１によって複数の観察者が検出されると、現時点における視域（正面視域、サイドローブ視域）から観察者それぞれの位置（座標）がどの程度ずれているかを算出する。そして、表示制御部１３５２は、図１４の（Ｂ）に示すように、視域に含まれる人数が最多となるように視域をシフトさせ、視差画像群を表示させる。換言すると、表示制御部１３５２は、視域と観察者それぞれとのずれの和が最少になるように視域をシフトさせ、視差画像群を表示させる。
【００９０】
なお、表示させる同一の画像は、複数の観察者のなかで優先的に画像を観察させる人物が現時点で観察している画像を選択することも可能である。また、立体画像を表示させなくてもよい場合には、９列の画素に同一の画像を出力させてもよい。第１の実施形態に係るワークステーション１３０は、上述した同一画像の表示処理を、例えば、図１３に示すように、＜同一表示モード＞として設定される。
【００９１】
以上、第１の実施形態に係るワークステーション１３０による表示方法について説明した。以下では、上述した表示方法を用いた表示方法の変更の一例について説明する。具体的には、表示制御部１３５２は、観察者検出部１３５１によって検出された観察者が特定の人物であった場合に、表示部１３２による視差画像群の表示方法を、当該特定の人物に予め対応付けられた表示方法に変更する。図１５は、第１の実施形態に係る記憶部１３４によって記憶される情報の一例を示す図である。
【００９２】
例えば、記憶部１３４は、図１５に示すように、人物にモードを対応付けたテーブルを記憶する。一例を挙げると、記憶部１３４は、図１５に示すように、「人物：Ａ」に「モード：回り込み」を対応付けたテーブルを記憶する。表示制御部１３５２は、例えば、図１５に示すようにテーブルに基づいて、表示方法を変更する。一例を挙げると、表示制御部１３５２は、観察者検出部１３５１によって観察者が「人物：Ａ」であると特定されると、表示方法を「回り込みモード」に変更して、視差画像群を表示させる。そして、観察者が増えた場合には、表示制御部１３５２は、表示方法を「回り込みモード」から「同一表示モード」に変更して、視差画像群を表示する。
【００９３】
なお、観察者が、記憶部１３４に記憶されたテーブルに登録されていない人物であった場合には、表示制御部１３５２は、デフォルトの表示方法（例えば、追従モード）にて視差画像群を表示させる。また、図１５に示すテーブルは、あくまでも一例であり、実施形態はこれに限定されるものではない。例えば、人物に対して「１人用」、「２人用」、「３人以上」それぞれのモードを対応付けた情報であってもよい。或いは、人物間で優先順位を設定し、登録された２人の人物が観察者として特定された場合に、優先順位の高い人物に対応付けられたモードで視差画像群を表示させるように設定することも可能である。
【００９４】
上述したように、第１の実施形態に係るワークステーション１３０は、視差画像群の観察者の人数に応じて、種々のモードの表示処理を実行する。このモードの設定は、自由に行うことができ、例えば、観察者の人数が途中で変った場合に、モードを切り替えるのか、或いは、現時点で実行されているモードを継続するのかなどを自由に設定することが可能である。また、直前に実行したモードの情報を記憶し、直前に観察した観察者と同一の観察者が、再度、画像を観察する場合には、記憶したモードにより画像を表示するように設定することも可能である。また、直前に観察した観察者とは異なる人物が観察を開始する場合には、直前のモードを継続して実行してもよいし、別のモードに切り替える場合であってもよい。
【００９５】
次に、図１６を用いて、第１の実施形態に係るワークステーション１３０の処理について説明する。図１６は、第１の実施形態に係るワークステーション１３０による処理の手順を示すフローチャートである。図１６に示すように、第１の実施形態に係るワークステーション１３０においては、表示切替えモードがＯＮであると（ステップＳ１０１肯定）、観察者検出部１３５１が、複数の観察者を検出したか否かを判定する（ステップＳ１０２）。
【００９６】
ここで、複数の観察者を検出した場合には（ステップＳ１０２肯定）、表示制御部１３５２は、同一表示モードを起動し（ステップＳ１０３）、視域に含まれる人数が最多となるよう視域をシフトさせ（ステップＳ１０４）、視差画像を表示させる。一方、複数の観察者を検出しなかった場合には（ステップＳ１０２否定）、表示制御部１３５２は、観察者がテーブルに登録されているか否かを判定する（ステップＳ１０５）。
【００９７】
ここで、観察者がテーブルに登録されていた場合には（ステップＳ１０５肯定）、表示制御部１３５２は、観察者に対応付けられたモードを起動し（ステップＳ１０６）、追従モードであるか否かを判定する（ステップＳ１０８）。一方、観察者がテーブルに登録されていない場合には（ステップＳ１０５否定）、表示制御部１３５２は、デフォルトのモードを起動し（ステップＳ１０７）、追従モードであるか否かを判定する（ステップＳ１０８）。
【００９８】
ここで、追従モードである場合には（ステップＳ１０８肯定）、表示制御部１３５２は、観察者の顔の位置に応じて視域をシフトさせる（ステップＳ１０９）。一方、追従モードではない場合には（ステップＳ１０８否定）、表示制御部１３５２は、観察者の位置に応じて視域をシフトさせながら、視点位置を変化させた視差画像群を表示させる（ステップＳ１１０）。なお、第１の実施形態に係るワークステーション１３０は、表示切替えモードがＯＮにされるまで待機状態である（ステップＳ１０１否定）。
【００９９】
上述したように、第１の実施形態によれば、表示部１３２が、視差画像群を表示することで表示対象物を立体視させる。そして、観察者検出部１３５１が、表示部１３２によって描出された表示対象物の観察者を検出する。そして、表示制御部１３５２が、観察者検出部１３５１によって検出された観察者の人数に応じて、表示部１３２による視差画像群の表示方法を変更する。従って、第１の実施形態に係るワークステーション１３０は、観察者の人数に応じた画像を表示することを可能にする。
【０１００】
また、第１の実施形態によれば、表示制御部１３５２は、観察者検出部１３５１によって一人以上の観察者が検出された場合に、観察者検出部１３５１によって検出された観察者の位置から表示対象物が立体視されるように視域を調整する。従って、第１の実施形態に係るワークステーション１３０は、観察位置を気にすることなく、表示対象物を観察することを可能にする。
【０１０１】
また、第１の実施形態によれば、表示制御部１３５２は、観察者検出部１３５１によって一人以上の観察者が検出された場合に、当該観察者の位置に応じて、表示対象物に対して視点を変えて生成された視差画像群を表示部１３２にて表示させる。従って、第１の実施形態に係るワークステーション１３０は、表示設定を変更することなく表示対象物の全体を観察することを可能にする。
【０１０２】
また、第１の実施形態によれば、表示制御部１３５２は、観察者検出部１３５１によって複数の観察者が検出された場合に、当該複数の観察者に対して同一視点から生成された表示対象物の画像を表示部１３２にて表示させる。従って、第１の実施形態に係るワークステーション１３０は、カンファレンス等で観察者全員が同じもの確認することを可能にする。
【０１０３】
また、第１の実施形態によれば、表示制御部１３５２は、観察者検出部１３５１によって検出された観察者が特定の人物であった場合に、表示部１３２による視差画像群の表示方法を、当該特定の人物に予め対応付けられた表示方法に変更する。従って、第１の実施形態に係るワークステーション１３０は、設定の切替えなどを行うことなく、利用者ごとに所望する表示方法で視差画像群を表示させることを可能にする。
【０１０４】
（第２の実施形態）
さて、これまで第１の実施形態について説明したが、上述した第１の実施形態以外にも、種々の異なる形態にて実施されてよいものである。
【０１０５】
上述した実施形態では、視差画像を出力する画素を移動させることにより、視域をシフトする場合について説明した。しかしながら、実施形態はこれに限定されるものではなく、観察者の動きに応じて、視域をシフトさせる方法であれは、どのような方法を用いる場合であってもよい。例えば、図１７に示す方法を用いる場合であってもよい。
【０１０６】
図１７は、第２の実施形態に係る表示制御部１３５２による視域の調整方法の一例を説明するための図である。図１７においては、表示部１３２の表示面に備えられた９列の画素からレンチキュラーレンズへの視差画像の投射について示す。例えば、観察者検出部１３５１によって観察者の位置が変化したことが検出されると、表示制御部１３５２は、９列の画素から投射される視差画像の投射方向を、図１７の矢印３０３又は３０４に示す方向にシフトさせる。これにより、レンチキュラーレンズを介した後の画像の投射方向もシフトすることとなる。すなわち、視域がシフトすることとなる。
【０１０７】
また、上述した実施形態では、回り込みモードとして、視点方向を段階的に変化させて生成した視差画像を観察者の動きに合わせて表示させる場合について説明した。しかしながら、実施形態はこれに限定されるものではなく、例えば、表示対象物の正面、右側及び左側の３方向から生成した９視差の視差画像を表示する場合であってもよい。
【０１０８】
例えば、観察者が表示部１３２の正面に位置する場合には、表示制御部１３５２は、表示対象物が正面となる視点方向から生成した９視差の視差画像を表示部１３２に表示させる。そして、観察者が右側に移動すると、表示制御部１３５２は、表示対象物が右側の面となる視点方向から生成した９視差の視差画像を表示部１３２に表示させる。同様に、観察者が左側に移動すると、表示制御部１３５２は、表示対象物が左側の面となる視点方向から生成した９視差の視差画像を表示部１３２に表示させる。
【０１０９】
また、上述した実施形態では、同一表示モードとして、視域に含まれる人数が最多となるように視域をシフトさせ、視差画像群を表示させる場合について説明した。しかしながら、実施形態はこれに限定されるものではなく、例えば、すべての観察者が現在の視域内に位置する場合に、すべての観察者に対して同一視点から生成された表示対象物の画像を表示させる場合であってもよい。
【０１１０】
例えば、図１３に示すように、観察者が複数いる場合には、表示制御部１３５２は、表示対象物が正面となる視点方向から生成した画像を観察者のいる３方向に表示させる。一例を挙げると、表示制御部１３５２は、図１７に示す９列の画素のうち、第１列〜第３列の画素、第４列〜第６列の画素及び第７列〜第９列の画素それぞれに、表示対象物が正面となる視点方向から生成した３視差分の視差画像を出力させる。これにより、表示部１３２は、正面、右側及び左側で同一の立体画像を表示することとなる。
【０１１１】
なお、表示させる同一の画像は、複数の観察者のなかで優先的に画像を観察させる人物が現時点で観察している画像を選択することも可能である。また、立体画像を表示させなくてもよい場合には、９列の画素に同一の画像を出力させてもよい。
【０１１２】
また、上述した実施形態では、特定の人物ごとにモードを対応付けて記憶し、観察者検出部１３５１によって検出された観察者が特定の人物であった場合に、当該特定の人物に対応付けられたモードで視差画像群を表示させる場合について説明した。しかしながら、実施形態はこれに限定されるものではなく、例えば、特定の人物ごとに視差画像群の表示条件を設定する場合であってもよい。
【０１１３】
一例を挙げると、記憶部１３４が、特定の人物ごとに、当該特定の人物が所望する視差画像群の表示条件をさらに記憶する。図１８は、第２の実施形態に係る記憶部１３４によって記憶される情報の一例を示す図である。記憶部１３４は、例えば、図１８に示すように、人物とモードとを対応付けたテーブルにさらに付加条件を対応付けて記憶する。なお、図１８に示す付加条件とは、特定の人物がそれぞれ所望する表示条件を示す。例えば、記憶部１３４は、図１８に示すように、「人物：Ａ」に対応付けて、「モード：回り込み」と、「拡大」及び「コントラスト：大」などの「付加条件」とを記憶する。
【０１１４】
表示制御部１３５２は、観察者検出部１３５１によって検出された観察者が、記憶部１３４に記憶されたテーブルに含まれる特定の人物であった場合に、当該特定の人物に予め対応付けられた表示条件に設定した視差画像群を表示部１３２にて表示させる。例えば、観察者検出部１３５１によって検出された観察者が「人物：Ａ」であった場合に、表示制御部１３５２は、図１８に示すテーブルを参照して、まず、モードを「回り込み」に変更する。そして、表示制御部１３５２は、画像の拡大処理を実行し、さらに、「コントラスト」を「大」にした視差画像群を表示部１３２にて表示させる。
【０１１５】
上述したように、第２の実施形態に係るワークステーション１３０は、記憶部１３４が、特定の人物ごとに、当該特定の人物が所望する視差画像群の表示条件をさらに記憶する。そして、表示制御部１３５２が、特定の人物に予め対応付けられた表示条件に設定した視差画像群を表示部１３２にて表示させる。その結果、第２の実施形態に係るワークステーション１３０は、利用者が所望するより細かい条件を加味した表示方法で視差画像群を表示させることを可能にする。
【０１１６】
上述した実施形態においては、ワークステーション１３０が、観察者の人数に応じて表示方法を変更する場合について説明した。しかしながら、開示の技術がこれに限定されるものではなく、例えば、医用画像診断装置１１０が観察者の人数に応じて表示方法を変更する場合であってもよい。また、医用画像診断装置１１０又はワークステーション１３０が観察者の人数に応じた画像を生成して記憶部に格納し、端末装置１４０が、記憶部に記憶された画像を表示する場合であってもよい。
【０１１７】
上述した実施形態においては、ワークステーション１３０が、画像保管装置１２０からボリュームデータを取得し、このボリュームデータから観察者の視点位置に応じた画像を生成して表示する場合について説明した。しかしながら、開示の技術はこれに限定されるものではなく、例えば、ワークステーション１３０が、医用画像診断装置１１０からボリュームデータを取得し、このボリュームデータから観察者の視点位置に応じた画像を生成して表示する場合であってもよい。
【０１１８】
上述した実施形態においては、端末装置１４０が、画像保管装置１２０から画像を取得して表示する場合について説明した。しかしながら、開示の技術はこれに限定されるものではなく、例えば、端末装置１４０が、医用画像診断装置１１０から画像を取得して表示する場合であってもよい。
【０１１９】
上述した実施形態においては、観察者の位置を顔認識により検出する場合について説明した。しかしながら、開示の技術はこれに限定されるものではなく、例えば、観察者の顔認識に加えて、眼球の黒目の位置を検出することにより、より詳細な観察者の視線情報を取得する場合であってもよい。
【０１２０】
以上説明したとおり、実施形態によれば、本実施形態の画像処理システム、画像処理装置、方法及び医用画像診断装置は、観察者の人数に応じた画像を表示することを可能にする。
【０１２１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２２】
１１０  医用画像診断装置
１２０  画像保管装置
１３０  ワークステーション
１３２  表示部
１３４  記憶部
１３５  制御部
１３７  検出部
１３５１  観察者検出部
１３５２  表示制御部
１３７１  ヘッドトラッキング装置
１４０  端末装置
【図１】
0005835980.tif 000002
【図２】
0005835980.tif 000003
【図３】
0005835980.tif 000004
【図４】
0005835980.tif 000005
【図５】
0005835980.tif 000006
【図６】
0005835980.tif 000007
【図７】
0005835980.tif 000008
【図８】
0005835980.tif 000009
【図９】
0005835980.tif 000010
【図１０】
0005835980.tif 000011
【図１１】
0005835980.tif 000012
【図１２】
0005835980.tif 000013
【図１３】
0005835980.tif 000014
【図１４】
0005835980.tif 000015
【図１５】
0005835980.tif 000016
【図１６】
0005835980.tif 000017
【図１７】
0005835980.tif 000018
【図１８】
0005835980.tif 000019